(57)【要約】【課題】  烏の嘴や猫等の爪でゴミが引き出されて散乱する事態を確実に防止するし、外側網と内側網で二重に形成してあるから強度性にも優れており、また折畳み或いは伸縮可能であるので不使用時に通行等の障害にならない。【解決手段】  内部がゴミ収容部になった折畳み型二重ゴミ箱１は、一対の側面二重パネル２、２、後面二重パネル３、扉を兼ねた上面二重パネル４及び前面二重パネル５によって下方が開放した箱型に構成してある。二重パネル２、３、４、５を構成する枠体６は外枠６Ａ、内枠６Ｂ、外枠６Ａと内枠６Ｂの四隅を連結する連結材により構成してあり、外枠６Ａに張設した外側網７と内枠６Ｂに張設した内側網とは約８０ｍｍ離間している。【選択図】  図１
2007070092.tif 000002
【特許請求の範囲】
【請求項１】
内側網と外側網を所定間隔離間して枠体に張設してなる二重パネルにより、両側面、後面、上面及び前面の各々を形成し、該各二重パネルの内側網により画成する内部をゴミ収容部とし、前記各面の何れかに該ゴミ収容部を開閉可能に施蓋する蓋体を設けてなる二重ゴミ箱。
【請求項２】
前記蓋体は、前記二重パネルの何れかであることを特徴とする請求項１記載の二重ゴミ箱。
【請求項３】
前記蓋体は、前記何れかの面を形成する二重パネルに設けてある請求項１記載の二重ゴミ箱。
【請求項４】
前記各面を形成する二重パネルを回動自在に連結することにより、折畳み可能に構成してあることを特徴とする請求項１記載の二重ゴミ箱。
【請求項５】
前記二重パネルのうち対向する一対の二重パネルを折込み可能に構成することにより、一方向に伸縮可能に構成してあることを特徴とする請求項１記載の二重ゴミ箱。
【請求項６】
請求項１記載の二重ゴミ箱は、底板を設けて地上に設置可能に構成してあることを特徴とする二重ゴミ箱。
【請求項７】
前記二重パネルを構成する内側網と外側網との間に、網垂れ防止体を挟装してあることを特徴とする請求項１記載の二重ゴミ箱。
【発明の詳細な説明】
【技術分野】
【０００１】
本発明は、家庭から排出される所謂生活ゴミを収容するために街角や道路脇に設置して使用するゴミ箱に関し、特に烏や猫等によるゴミの飛散を防止できるし、通行の邪魔にならない使い方もできる二重ゴミ箱に関する。
【背景技術】
【０００２】
ゴミ集積場であるゴミステーションには、烏、猫等が生ゴミを食い散らかして飛散させるのを防止するために、合成繊維製のネットをゴミの上に被せる方法や、金網で構成した箱状のゴミ箱を設置することが行われている。
【特許文献１】なし
【発明の開示】
【発明が解決しようとする課題】
【０００３】
従来のネットを使用する方法は、ネットをゴミに完全に被せる必要があるが風で捲れてしまうという欠点、ネットとゴミが近接しているために網目から烏の嘴や猫等の爪でゴミが引き出されて周囲に散乱してしまうという欠点がある。また、金網のゴミ箱もネットと同様に網目からゴミが引き出されるという欠点があるし、これを防止するために網目を細かくすると風圧により転倒する事態や、金網が変形してしまうという欠点がある。
【０００４】
本発明は上述した従来技術の諸欠点に鑑みなされたもので、烏の嘴や猫等の爪でゴミが引き出されて散乱する事態を確実に防止するし、各面を内側網と外側網で二重に形成してあるから強度性にも優れており、また折畳み或いは伸縮可能であることにより不使用時には通行の障害にならない二重ゴミ箱を提供することを目的とする。
【課題を解決するための手段】
【０００５】
上述した課題を解決するために構成された本発明の手段は、内側網と外側網を所定間隔離間して枠体に張設してなる二重パネルにより、両側面、後面、上面及び前面の各々を形成し、該各二重パネルの内側網により画成する内部をゴミ収容部とし、前記各面の何れかに該ゴミ収容部を開閉可能に施蓋する蓋体を設けたものからなる。
【０００６】
そして、前記蓋体は、前記二重パネルの何れかでもよい。
【０００７】
また、前記蓋体は、前記何れかの面を形成する二重パネルに設けてもよい。
【０００８】
更に、前記各面を形成する二重パネルを回動自在に連結することにより、折畳み可能に構成してもよい。
【０００９】
更に、前記二重パネルのうち対向する一対の二重パネルを折込み可能に構成することにより、一方向に伸縮可能に構成してもよい。
【００１０】
また、請求項１記載の二重ゴミ箱は、底板を設けて地上に設置可能に構成してもよい。
【００１１】
また、前記二重パネルを構成する内側網と外側網との間に、網垂れ防止体を挟装してもよい。
【発明の効果】
【００１２】
本発明は以上詳述した如く構成したから、下記の諸効果を奏する。
（１）ゴミ収容部を画成する５面の二重パネルは所定の間隔で離間させた内側網と外側網で構成してあるから、烏の嘴や猫等の爪がゴミを引出して散乱させる事態を確実に防止することができる。
（２）ゴミ箱の各面は、内側網と外側網で二重に形成してあるから強度性に優れている。
（３）各面を形成する二重パネルは折り畳み自在に構成してあり、使用しない場合は簡単に折り畳んで収納できるから、歩行者の障害にならないし、保管場所も小さいスペースで足りる。
（４）二重パネルのうち対向する一対の二重パネルを折込み可能に構成し、ゴミ箱を一方向に伸縮可能に構成したから格納性に優れているし、市街の景観を保持できる。
（５）二重パネルは、内側網と外側網との間に網垂れ防止体を挟装したから、経年により網が垂れて内側網と外側網の間隔が接近してゴミが引き出される事態を防止できる。
【発明を実施するための最良の形態】
【００１３】
以下、本発明の実施の形態を図面に基づき詳述する。図１乃至図８は、本発明の第１の実施の形態を示す。図において、１は折畳み型二重ゴミ箱を示し、該二重ゴミ箱１は一対の側面二重パネル２、２、後面二重パネル３、上面二重パネル４及び前面二重パネル５によって下方が開放した箱型に構成してあり、二重パネル２、３、４、５によって囲繞される内部はゴミ収容部１Ａになっている。
【００１４】
６は前記二重パネル２、３、４、５の各を構成する枠体で、該枠体６は図１及び図７に示すように、縦材６Ａ１及び横材６Ａ２からなる四角形の外枠６Ａと、該外枠６Ａより縦、横の長さを短く設定した縦材６Ｂ１及び横材６Ｂ２からなる四角形の内枠６Ｂと、該外枠６Ａ及び内枠６Ｂの四隅を連結する４本の連結材６Ｃ、６Ｃ、・・とによって、正面において四角形、側面において略台形状に形成してある。
【００１５】
７は前記枠体６の外枠６Ａに締結バンド８、８、・・によって取着した合成樹脂製の外側網、９は内枠６Ｂに締結バンド８、８、・・によって取着した合成樹脂製の内側網を示し、外側網７と内側網９の間隔Ｌは約８０ｍｍに設定してある。
【００１６】
１０、１０は前記一側の側面二重パネル２と後面二重パネル３を横方向に回動自在に連結する一対の内側連結リングを示す。該内側連結リング１０、１０は内枠６Ｂ、６Ｂの縦材６Ｂ１、６Ｂ１に高さ方向に離間して嵌合してあり、側面二重パネル２と後面二重パネル３は矢示イ方向に回転して折畳み可能になっている（図３参照）。
【００１７】
１１、１１は後面二重パネル３と他側の側面二重パネル２を横方向に回動自在に連結する一対の外側連結リングを示す。該外側連結リング１１、１１（但し、上方のみ図示）は外枠６Ａ、６Ａの縦材６Ａ１、６Ａ１に高さ方向に離間して嵌合してあり、後面二重パネル３と側面二重パネル２は矢示ロ方向に回転して折畳み可能になっている。
【００１８】
また、１２、１２は他側の側面二重パネル２と前面二重パネル５を横方向に回動自在に連結する他の一対の内側連結リングで、該内側連結リング１２、１２（但し、上方のみ図示）は内枠６Ｂ、６Ｂの縦材６Ｂ１、６Ｂ１に高さ方向に離間して嵌合してあり、他側側面二重パネル２と前面二重パネル５は矢示ハ方向に回転して折畳み可能になっている。
【００１９】
更に、１３、１３は蓋体となる上面二重パネル４を前面二重パネル５に回動自在に連結する一対の蓋用連結リングを示す。該蓋用連結リング１３、１３は外枠６Ａ、６Ａの横材６Ａ２、６Ａ２に嵌合してあり、上面二重パネル体４は外方に回転して前面二重パネル体５の外面に衝合するようになっている。
【００２０】
なお、本実施の形態では、上面二重パネル４を開閉可能な蓋体にしたが、前面二重パネル５を蓋体にしてもよいものである。
【００２１】
図８は本実施の形態の変形例を示す。その特徴とするところは、二重パネル２、３、４、５を構成する外側網７と内側網９との間に網垂れ防止体１４を挟装したことにある。該網垂れ防止体１４は内枠６Ｂより小さい直径で、外側網７と内側網９の間隔を軸方向寸法とする合成樹脂製のリング状に形成したもので、外側網７と内側網９に係着してある。このように網垂れ防止体１４を挟装することにより、外側網７や内側網９が経年により次第に弛んで接近するのを防止することができる。
【００２２】
かくして、折畳み型二重ゴミ箱１は、各面を形成する二重パネル体２、３、４、５、これらを連結する連結リング１０、１１、１２及び一側の側面二重パネル２と前側二重パネル５を接離自在に連結する連結金具（但し、図示せず。）とから構成してある。そして、折畳み型ゴミ箱１の各面を形成する二重パネル２、３、４、５は外側網７と内側網９を約８０ｍｍの間隔で二重に形成してあるから、烏の嘴や猫、狐の爪でゴミが引き出される事態を確実に防止することができるし、強度性にも優れている。
【００２３】
また、折畳み型二重ゴミ箱１は、図６に示すように、全ての二重パネル２、３、４、５は密接した状態で五重に折り畳むことができるから、不使用時には保管場所を取らないし、野外イベント会場等への可搬性に優れている。
【００２４】
次に、図９乃至図１８は第２の実施の形態に係る伸縮型二重ゴミ箱を示す。図において、２１は伸縮型二重ゴミ箱を示し、該二重ゴミ箱２１は一対の側面二重パネル２２、２２と、後述する後面二重パネル２８、上面二重パネル３５及び前面二重パネル４０によって下方が開放した箱形に構成してあり、各二重パネル２２、２８、３５、４０によって囲繞される内部はゴミ収容部２１Ａになっている。
【００２５】
ここで、前記一対の側面二重パネル２２、２２の各は、縦材２３Ａと横材２３Ｂから縦長に形成され、ヒンジ２３Ｃにより内側に向けて略「く」字状に屈曲する一対の外枠２３、２３と、縦材２５Ａと横材２５Ｂから縦長に形成され，長孔２４Ａを有するアーム２４によって外枠２３の横材２３Ｂに連結支持され、各外枠２３に連動して略「く」字状に変位する内枠２５と、外枠２３に張設した合成樹脂製の外側網２６及び内枠２５に張設した内側網２７とから構成してある（図１６参照）。
【００２６】
２８は前記一対の側面二重パネル２２、２２の後端に連結した後面二重パネルで、該後面二重パネル２８は縦材２９Ａ、２９Ａ及び横材２９Ｂ、２９Ｂによって四角形に形成した外枠２９と、該外枠２９より縦材３０Ａ、横材３０Ｂの寸法を小さく設定した四角形からなり、外枠２９の内側に離間して配設した内枠３０と、リンク３１Ａ、３１Ａと連結管３１Ｂからなり、該内枠３０と外枠２９に架設されて内枠３０と外枠２９を接離可能に支持する連結具３１と、外枠２９に張設した外側網３２と、内枠３０に張設した内側網３３とから構成してある。そして、後面二重パネル２８と側面二重パネル２２は横材２９Ｂ、２３Ｂの端部に設けた連結ブラケット３４によって回動可能に連結してある。
【００２７】
３５は上面二重パネルを示し、該上面二重パネル３５は縦材３６Ａ及び横材３６Ｂによって四角形に形成した外枠３６と、縦材３７Ａ及び横材３７Ｂ（但し、図示せず。）によって四角形に形成し、該外枠３６の下面に所定間隔離間して固着した内枠３７と、外枠３６に張着した外側網３８と、内枠３７に張着した内側網３９とから構成してある。そして、上面二重パネル３５は、図１０に示すように後面二重パネル２８の上端に矢示イ、ロ方向に回動可能に連結してあり、格納時にはイ方向に回転して後面二重パネル２８に衝合する。
【００２８】
更に、４０は前面二重パネルを示し、下側パネル体４１と後述する上側パネル体４２とから構成してある。前面二重パネル４０を構成する下側パネル体４１は、縦材と横材によって横長四角形に形成した外枠４１Ａと、該外枠４１Ａの内側に所定間隔離間して固着した横長四角形の内枠４１Ｂと、外枠４１Ａに張着した外側網４１Ｃと、内枠４１Ｂに張着した内側網４１Ｄとから構成してある。そして、下側パネル体４１は幅方向両端が側面二重パネル２２の外枠２３に回動可能に連結してある。
【００２９】
また、前面二重パネル４０を構成する上側パネル体４２は、縦材と横材によって横長四角形に形成した外枠４２Ａと、該外枠４２Ａの内側に所定間隔離間して固着した横長四角形の内枠４２Ｂと、外枠４２Ａに張着した外側網４２Ｃと、内枠４２Ｂに張着した内側網４２Ｄとから構成してある。そして、上側パネル体４２は下側パネル体４１の上端に矢示ハ、ニ方向に回動可能に連結することによりゴミ収容部２１Ａの蓋体としてある。
【００３０】
本実施の形態に係る伸縮型ゴミ箱２１は上述の構成からなり、使用時には箱型をなしており、前面二重パネル４０の上側パネル体４２を開くことにより、ゴミ収容部２１Ａにゴミを投入することができる。他方、非使用時には、上面二重パネル３５を矢示イ方向に回転させて後側二重パネル２８に衝合し、前面二重パネル４０の上部パネル体４２を矢示ハ方向に回転して下部パネル体４１に衝合した状態にする。そして、図１３乃至図１８に示すように、一対の側面二重パネル２２、２２を内側に折り込むことにより、各側面二重パネル２２はアーム２４がスライドして扁平状になり、また後面二重パネル２８は連結具３１が屈曲して扁平状になることにより、伸縮型ゴミ箱２１を縮小させることができる。
【００３１】
上述の如く、伸縮型ゴミ箱２１は任意に縮小、伸長することができるから、路肩に設置した場合でも通行の障害になる事態を最小限にできるし、景観を損なうこともない。
【００３２】
なお、伸縮型ゴミ箱２１は移動可能なゴミ箱として使用することができるし、後面二重パネル２８側を壁或いは支柱に固定して定置式のゴミ箱として使用してもよいものである。
【００３３】
更に、図１９乃至図２１は第３の実施の形態に係る固定型二重ゴミ箱５１を示す。図において、５２は該二重ゴミ箱５１を構成する長方形の底板、５３は該底板５２に立設した枠体を示し、該枠体５３は底板５２の後ろ側角隅に起立する左右一対の後枠材５３Ａ、５３Ａと、底板５２の前側角隅に傾斜して起立する左右の前枠材５３Ｂ、５３Ｂと、一対の後枠材５３Ａ、５３Ａ、前枠材５３Ｂ、５３Ｂの上端に四角形に架設した上枠材５３Ｃ及び下枠材５３Ｄと、後枠材５３Ａ及び前枠材５３Ｂに突設した４本の角スぺーサー５３Ｅと、上枠材５３Ｃと下枠材５３Ｄに架設した中間スペーサー５３Ｆと、底板５２から下方に突設した４本の設置用脚５３Ｇとから構成してある。そして、枠体５３の外側には角スぺーサー５３Ｅ及び中間スペーサー５３Ｆに外側網５４を張設し、枠体５３の内側に内側網５５を張設することにより二重ゴミ箱に構成してある。
【００３４】
５６は枠体５３の前面に観音開き式に設けた扉で、該扉５６は前枠材５３Ｂ、５３Ｂに架設した上下の横支持材５６Ａ、５６Ａに左右の縦支持材５６Ｂ、５６Ｂを架設し、扉本体５６Ｃ、５６Ｃを開閉自在に軸支して構成してある。そして、蓋本体５６Ｃ、５６Ｃの外面及び内面にも外側網５７、内側網５８を張設してある。
【００３５】
本実施の形態に係る固定型二重ゴミ箱５１は上述の構成からなるもので、左右側面、後面、上面及び前面を所定間隔離間する二重の網５４、５５、５７、５８で覆うことにより、ゴミ収容部５１Ａ内のゴミが烏や猫等によって引き出されて散乱する事態を確実に防止することができる。
【００３６】
なお、各実施の形態では外側網及び内側網に合成繊維製網を用いたが、金属製網やエキスパンドメタルやパンチングメタルを用いてもよい。
【図面の簡単な説明】
【００３７】
【図１】図１乃至図８は本発明の第１の実施の形態に係り、図１はゴミ収容箱の外観斜視図である。
【図２】蓋体である上面二重パネルを開いた状態の平面図である。
【図３】側面二重パネルを後面二重パネル側に折畳む状態の説明図である。
【図４】後面二重パネルを他の側面二重パネル側に折畳んだ状態の説明図である。
【図５】他の側面二重パネルを前面二重パネル側に折畳む状態の説明図である。
【図６】折畳み型ゴミ箱を折畳んだ状態の説明図である。
【図７】二重パネルの連結状態を示す部分拡大図である。
【図８】変形例に係る折畳み型二重ゴミ箱の外観斜視図である。
【図９】図９乃至図１８は第２の実施の形態に係る伸縮型二重ゴミ箱を示し、図９は二重ゴミ箱の概略図である。
【図１０】二重ゴミ箱の縦断面図である。
【図１１】二重ゴミ箱を縮小した状態の概略図である。
【図１２】上面二重パネルを外して示す二重ゴミ箱の底面図である。
【図１３】二重ゴミ箱を縮小する過程を示す底面図である。
【図１４】図１２中のＸＩＶ−ＸＩＶ矢示方向拡大断面図である。
【図１５】図１４の平面図である。
【図１６】側面二重パネルと前面二重パネルの部分拡大図である。
【図１７】側面二重パネルを折込む過程を示す説明図である。
【図１８】側面二重パネル、後面二重パネル及び前面二重パネルを縮小させた状態の説明図である。
【図１９】図１９乃至図２１は第３の実施の形態に係る固定型二重ゴミ箱を示し、図１９は二重ゴミ箱の外観斜視図である。
【図２０】枠体の平面図である。
【図２１】二重ゴミ箱の縦断面図である。
【符号の説明】
【００３８】
１        折畳み型二重ゴミ箱
１Ａ、２１Ａ、５１Ａ    ゴミ収容部
２〜５    二重パネル
６、２３、５３      枠体
７、２６、３８、４１Ｃ、４２Ｃ、５４、５７      外側網
９、２７、３９、４１Ｄ、４２Ｄ、５５、５８      内側網
１４      網垂れ防止体
２１      伸縮型二重ゴミ箱
５１      固定型二重ゴミ箱
５２      底板
【図１】
2007070092.tif 000003
【図２】
2007070092.tif 000004
【図３】
2007070092.tif 000005
【図４】
2007070092.tif 000006
【図５】
2007070092.tif 000007
【図６】
2007070092.tif 000008
【図７】
2007070092.tif 000009
【図８】
2007070092.tif 000010
【図９】
2007070092.tif 000011
【図１０】
2007070092.tif 000012
【図１１】
2007070092.tif 000013
【図１２】
2007070092.tif 000014
【図１３】
2007070092.tif 000015
【図１４】
2007070092.tif 000016
【図１５】
2007070092.tif 000017
【図１６】
2007070092.tif 000018
【図１７】
2007070092.tif 000019
【図１８】
2007070092.tif 000020
【図１９】
2007070092.tif 000021
【図２０】
2007070092.tif 000022
【図２１】
2007070092.tif 000023